(57)【特許請求の範囲】
【請求項１】
接合する構造材に当接する当接部材と、該当接部材に添設して使用するＬ字形で所定強度を有する接合基材とからなる接合用金物であって、前記Ｌ字形の接合基材を構成する一片及び他片は、夫々貫通孔が穿設してなり、前記当接部材は、接合する構造材に当接する第一当接片と第二当接片とを直角に配置し、両当接片の直角を維持する補強片とを一体に形成してなり、前記第一当接片及び第二当接片には、前記貫通孔に対応した巾方向の長孔を穿設したことを特徴とする接続用金物。
【請求項２】
補強片に透孔を穿設して、筋交い固定片とした請求項１記載の接続用金物。
【請求項３】
方形の第一当接片の一縁に第二当接片を連設し、該一縁に隣接する他縁に補強片を連設し、前記補強片に、前記第二当接片と同一形状で、同一の長孔を穿設した折り代片を連設し、一体に形成して当接部材基板を構成し、前記当接部材基板を折り曲げ、前記折り代片と第二当接片とを重ねて、当接部材を形成する請求項１記載の接続用金物。
【発明の詳細な説明】
【０００１】
【発明の属する技術分野】
この発明は、木造構造物において、土台、梁等の横架材と柱との、接合に使用される接合金物に関する。
【０００２】
【従来の技術】
従来の木造構造において、土台、柱、梁、筋交い等の接合は、用途に応じて、夫々独自の接合金物を使用している。
【０００３】
【発明が解決しようとする課題】
この場合、接合箇所に応じた各種金物を用意しなければならない問題点があった。
【０００４】
【課題を解決するための手段】
然るにこの発明では、接合予定の構造材に当接する第一当接片、第二当接片とからなる当接部材と所定強度を有する接合基材とから接合用金物を構成したので、前記問題点を解決した。
【０００５】
即ちこの発明は、接合する構造材に当接する当接部材と、該当接部材に添設して使用するＬ字形で所定強度を有する接合基材とからなる接合用金物であって、前記Ｌ字形の接合基材を構成する一片及び他片は、夫々貫通孔が穿設してなり、前記当接部材は、接合する構造材に当接する第一当接片と第二当接片とを直角に配置し、両当接片の直角を維持する補強片とを一体に形成してなり、前記第一当接片及び第二当接片には、前記貫通孔に対応した巾方向の長孔を穿設したことを特徴とする接続用金物である。
【０００６】
また、前記において、補強片に透孔を穿設して、筋交い固定片とした接続用金物である。また、方形の第一当接片の一縁に第二当接片を連設し、該一縁に隣接する他縁に補強片を連設し、前記補強片に、前記第二当接片と同一形状で、同一の長孔を穿設した折り代片を連設し、一体に形成して当接部材基板を構成し、前記当接部材基板を折り曲げ、前記折り代片と第二当接片とを重ねて、当接部材を形成する接続用金物である。
【０００７】
【発明の実施の形態】
接合する構造材、例えば土台と柱とを接合する場合、土台の上面と柱の側面の直角の各面に当接す固定される当接部材は、柱の面に固定される第一当接片と土台の面に固定する第二当接片とからなる。両当接片が補強片で固定され直角が維持される。
【０００８】
当接部材の各当接片に夫々添設できる一片及び他片からなるＬ字形で所定強度を有する接合基材とする。当接部材に接合基材を添設して接合用金物が構成される。接合基材の一片の貫通孔と第一当接片の長孔が、他片の貫通孔と第二当接片の長孔とが、夫々連通する。
【０００９】
接合基材１は、それ自体で、構造材の接合を維持できる強度を有し、例えば、断面  １２０×１２０ｍｍの土台３０と、断面  １２０×１２０ｍｍの柱３５とを接合する場合には、材厚ｔ1 （＝７ｍｍ）、巾Ｄ1 （＝３０ｍｍ）、各片２、３の長さＬ1 （＝１００ｍｍ）、長さＬ2 （＝６５ｍｍ）で形成されている(図２（ｂ）)。
【００１０】
【実施例１】
図１〜図４に基づきこの発明の実施例を説明する。
【００１１】
一片２及び他片３とからなるＬ字状の接合基材１は、接合部に求められる強度に応じた強度を有する材質、厚さなどで形成されている。前記一片２は柱３５との固定に使用され、ボルト等を挿通する貫通孔４が穿設されている。また、前記他片３は、土台３０等の横架材との固定に使用され、ボルト等を挿通する貫通孔４が穿設されている（図２（ｂ））。
【００１２】
柱３５の側面３６に当接できる所定巾Ｄ0 の長方形からなる第一当接片７の一縁８に同じ巾Ｄ0 の第二当接片１１を連接する。前記一縁８は、柱と横架材との接合縁２８に位置する。前記第一当接片７、第二当接片１１には、巾方向に長い長孔１９、２０が夫々穿設されている。前記第一当接片７の長孔１９は、前記接合基材１の一片２の貫通孔４に対応し、第二当接片１１の長孔２０は、前記接合基材１の他片３の貫通孔５に対応して、夫々形成されている。
【００１３】
続いて、前記第一当接片７の一縁８に隣接する他縁９に、長方形の補強片１３の一縁１４を連設する。前記補強片１３の一縁１４に隣接する縁で、第二当接片１１側の縁１５に、第二当接片１１と同一形状（長さＬ1 、巾Ｄ0 ）の折り代片１７の縁１８を連設する。前記折り代片１７には、前記第二当接片１１の長孔２０と同一位置に、長孔２１が穿設されている。
【００１４】
以上のように構成される当接部材基板２３が、一体に形成されている（図１）。前記当接部材基板２３の第一当接片７、補強片１３には、釘などを使用する為の透孔２４、２４が穿設されている（図１）。前記当接部材基板２３を、連設した各縁８、９（１４）、１８で直角に折り、第二当接片１１の下面に折り代片１７を重ね、第一当接片７、第二当接片１１、補強片１７とが互いに直角に位置する当接部材２５を構成する（図２（ａ））。
【００１５】
以上のように形成した当接部材２５の内面に、第一当接片７と一片２、第二当接片１１と他片３とが夫々当接するように、接合基材１を重ねて、この発明の接合用金物２７を構成する（図２（ｃ））。貫通孔４と長孔１９、貫通孔５と長孔２０（２１）とは夫々連通する。
【００１６】
続いて、この接合用金物２７の使用について説明する。
【００１７】
土台（横架材。構造材）３０の上面３１に、柱（構造材）３５の端面３６を接合する。土台３０には、接合用金物２７の貫通孔５に対応した貫通孔３３が穿設してある。土台３０の下面３２側から貫通孔３３に座付きボルト４２が挿入され、土台３３の上面３１から座付きボルト４２の螺杆４４の先端部４５が突出し、貫通孔３３の下端部の収容部３４に座付きボルト４２の座盤４３が収容されている。
【００１８】
土台３０の上面３１に、柱３５の端面３６を取付ける。螺杆４４の先端部４５を長孔２０、２１に挿入しながら、当接部材２５を接合部に添設する。第二当接片１１は土台３０の上面３１に、第一当接片７は柱３５の側面３７に当接する。続いて、接合部の接合強度に見合った接合基材１を、貫通孔３に螺杆４４の先端部４５を挿通させて、当接部材２５に添設する。接合基材１の貫通孔３から突出した螺杆４４の先端部４５にナット４６を螺合緊結して、貫通孔３から、スクリューボルト４７を柱３５側にねじ込む。また、透孔２４、２４からねじ４８、４８を柱３５にねじ込む。以上のようにして、土台３０と柱３５との接合を完了する。
【００１９】
次に、補強片１３の外側に筋交い３９の下端部４０を当接し、補強片１３の透孔２４、２４から釘類４９、４９を打ち、接合用金物２７と筋交い３９とを固定する。以上で、土台３０、柱３５、筋交い３９の接合を完了する。
【００２０】
前記において、筋交い３９の接合位置に合わせて、補強片１３の位置を決めて当接部材２５を配置し、接合基材１が土台３０（柱３５）の巾方向で中央部５０に位置するように長孔１９、２０、２１で調節し、配置できる（図４）。
【００２１】
前記実施例において、当接部材基板２３に、折り代片１７を設けたが、折り代片１７は省略して、折り曲げた状態で、補強片１３の他縁１５を第二当接片１１の縁１２に溶接することもできる（図示していない）。
【００２２】
また、前記実施例において、当接部材２５は、一枚の当接部材基板２３を屈曲して形成したが、第一当接片７、第二当接片１１及び補強片１３とを有すれば、各片の内の一つ又は全部を分離して形成し、溶接して組立ることもできる（図示していない）。
【００２３】
【発明の効果】
接合する構造材に当接でき、かつ直角を維持できる当接部材と、当接部材に添設して使用するＬ字形で所定強度を有する接合基材とからな接合用金物を構成したので、所望強度の接合基材を選択すれば、土台と柱、梁と柱、など柱と横架材との各種接合場所に適用できる効果がある。また、同様の直角を維持する接合箇所であれば、梁と梁などの接合箇所でも同様に使用できる。
【００２４】
また、接合基材で、所望も強度を保持すれば、当接部材は、構造材（木造）へのめり込みを防止できる程度に薄い肉厚の材料で構成でき、全体として材料の無駄を省くことができる。
【００２５】
また、第一第二当接片の直角を維持する補強片を筋交い固定用の受具に使用でき、筋交い固定用の部材を新たに追加することなく、整ったおさまりの構造とすることができる。また、当接部材を、１枚の当接部材基板を折り曲げて形成すれば、材料の無駄を省き、効率良い当接部材の組立ができる。
【図面の簡単な説明】
【図１】この発明の実施に使用する当接部材基板の正面図である。
【図２】この発明の実施例の斜視図で、（ａ）は当接部材、（ｂ）は接合基材、（ｃ）は接合用金物  を夫々表す。
【図３】接合用金物の使用状態の縦断面図である。
【図４】同じく側面図である。
【符号の説明】
１  接合基材
２  一片（接合基材）
３  他片（接合基材）
４  貫通孔（一片）
５  貫通孔（他片）
７  第一当接片
８  一縁（第一当接片）
９  他縁（第一当接片）
１１  第二当接片
１３  補強片
１４  一縁（補強片）
１５  他縁（補強片）
１７  折り代片
１８  一縁（折り代片）
１９  長孔（第一当接片）
２０  長孔（第二当接片）
２１  長孔（折り代片）
２３  当接部材基板
２４  透孔
２５  当接部材
２７  接合用金物
２８  接合縁
３０  土台（構造材）
３５  柱（構造材）
３９  筋交い
４２  座付きボルト
４３  座盤
４４  螺杆
【図１】
0004257963.tif 000002
【図２】
0004257963.tif 000003
【図３】
0004257963.tif 000004
【図４】
0004257963.tif 000005